(57)【要約】【課題】熱電変換モジュールが停止している場合における温度調節対象物の周囲の熱媒体の温度変化を抑制すること。【解決手段】電池モジュール１０は、ケース２０の内部に電池１１が収容されてなる電池パック１２に温度調節装置３０を設けることで構成されている。温度調節装置３０は、放熱と吸熱の相反する作用を行う第１面３１ａ及び第２面３１ｂを有する熱電変換装置３１と、第１熱交換器３２と、第２熱交換器４０とからなる熱電変換モジュール７０を備える。第１面３１ａに接合された第１熱交換器３２のフィン材３４が突出する第１流路５１及び第２面３１ｂに接合された第２熱交換器４０のフィン材４２が突出する第２流路５４には、熱電変換装置３１が停止している場合に、熱電変換装置３１への熱媒体の流通を遮断する遮断部材８１〜８４が配設されている。【選択図】図１
2013239477.tif 000002
【特許請求の範囲】
【請求項１】
通電の極性に応じて吸熱と放熱の相反する作用を行う第１面と第２面を有する熱電変換モジュールを有し、前記熱電変換モジュールと熱交換した熱媒体によって、ケースに収容された温度調節対象物の温度調節を行う温度調節装置であって、
前記第１面と熱交換した熱媒体を温度調節対象物に供給する第１流路、前記第２面と熱交換した熱媒体が流通する第２流路及び前記第２面で熱交換される熱媒体を前記熱電変換モジュールに供給する第３流路のうち少なくとも一つの流路には、前記熱電変換モジュールが停止している場合に、前記流路内の熱媒体の流通を抑制可能な抑制部材が配設されることを特徴とする温度調節装置。
【請求項２】
前記抑制部材は、断熱材からなることを特徴とする請求項１の記載の温度調節装置。
【請求項３】
前記熱電変換モジュールは、前記第１流路に突出する複数のフィン材からなるフィンを有する第１熱交換器と、前記第２流路に突出する複数のフィン材からなるフィンを有する第２熱交換器とを有し、
前記第１熱交換器は、前記第１面に接合され、
前記第２熱交換器は、前記第２面に接合され、
前記第１流路及び前記第２流路に突出する前記フィンの少なくともいずれか一方は、一対の抑制部材によって挟まれることを特徴とする請求項１又は請求項２に記載の温度調節装置。
【請求項４】
前記抑制部材は、前記抑制部材が配設される流路の開放状態と閉鎖状態とを切り替えることができる態様で回動可能に配設されるとともに、前記抑制部材が配設される流路を流通する熱媒体の流通方向と反対方向に付勢された状態で配設され、
前記抑制部材が設けられる流路に熱媒体が供給されるときには、前記熱媒体による押圧によって前記流路が開放状態に維持される一方で、前記抑制部材が配設される流路に熱媒体が供給されないときには、前記流路が閉鎖状態に維持されることを特徴とする請求項１〜請求項３のうちいずれか１項に記載の温度調節装置。
【発明の詳細な説明】
【技術分野】
【０００１】
本発明は、熱電変換モジュールと熱交換した熱媒体によって温度調節対象物の温度調節を行う温度調節装置に関する。
【背景技術】
【０００２】
熱電変換モジュールを用いて温度調節対象物の温度調節を行う温度調節装置としては、例えば、特許文献１に記載の温度制御モジュールが挙げられる。
この温度制御モジュールにおいて、ケーシングの内部には、温度調節対象物（バッテリユニット）が配設されている。ケーシングには、ケーシングの内部の熱媒体を加熱又は冷却する熱電変換モジュール（熱電セル）が設けられている。熱電変換モジュールは、第１面及び第２面を有しており、第１面がケーシングの内部に露出しており、第２面は、ケーシングの外部に露出している。また、ケーシングの内部には、熱電変換モジュールによって加熱又は冷却された熱媒体を温度調節対象物に移送する移送装置が配設されている。そして、熱電変換モジュールによって加熱又は冷却された熱媒体が温度調節対象物に供給されて温度調節対象物の温度調節が行われる。
【先行技術文献】
【特許文献】
【０００３】
【特許文献１】特開２００９−３０２０５４号公報
【発明の概要】
【発明が解決しようとする課題】
【０００４】
ところで、この種の温度調節装置においては、温度調節対象物の温度が目標温度に達すると、熱電変換モジュールを停止する。そして、温度調節対象物の温度が、温度調節を必要な温度に達すると熱電変換モジュールを再度駆動する。熱電変換モジュールは、伝熱性が高いため、温度調節モジュールの停止時においては、熱電変換モジュールを介してケーシングの内部の熱媒体と、ケーシングの外部の熱媒体が熱交換される。このため、熱電変換モジュールの停止時には、ケーシングの内部の熱媒体の温度が変化しやすく、これに伴い、温度調節対象物の温度も変化しやすくなっている。
【０００５】
本発明は、このような従来技術の問題点に鑑みてなされたものであり、その目的は、熱電変換モジュールが停止している場合における温度調節対象物の周囲の熱媒体の温度変化を抑制することができる温度調節装置を提供することにある。
【課題を解決するための手段】
【０００６】
上記課題を解決するため、請求項１に記載の発明は、通電の極性に応じて吸熱と放熱の相反する作用を行う第１面と第２面を有する熱電変換モジュールを有し、前記熱電変換モジュールと熱交換した熱媒体によって、ケースに収容された温度調節対象物の温度調節を行う温度調節装置であって、前記第１面と熱交換した熱媒体を温度調節対象物に供給する第１流路、前記第２面と熱交換した熱媒体が流通する第２流路及び前記第２面と熱交換される熱媒体を前記熱電変換モジュールに供給する第３流路のうち少なくとも一つの流路には、前記熱電変換モジュールが停止している場合に、前記流路内の熱媒体の流通を抑制可能な抑制部材が配設されることを要旨とする。
【０００７】
これによれば、第１流路に抑制部材を配設した場合には、熱電変換モジュールの停止時に、熱電変換モジュールを介して、第２流路の熱媒体と熱交換を行った第１流路の熱媒体が、温度調節対象物に供給されることが抑制される。また、第２流路に抑制部材を配設した場合には、熱電変換モジュールの停止時に、第２面と第２流路の熱媒体との熱交換が抑制される。このため、熱電変換モジュールを介した第１流路の熱媒体と第２流路の熱媒体との熱交換が抑制される。また、第１流路及び第２流路の両方に抑制部材を設けた場合には、上記した両方の効果を得ることができる。また、第３流路に抑制部材を配設した場合には、熱電変換モジュールの停止時に、第２流路に熱媒体が供給されることが抑制され、第２面と、第２流路の熱媒体との熱交換が抑制される。したがって、熱電変換モジュールが停止している場合に、熱電変換モジュールと熱交換された熱媒体が温度調節対象物に供給されることが抑制される。この結果、温度調節対象物の周囲の熱媒体の温度変化を抑制することができる。
【０００８】
請求項２に記載の発明は、請求項１に記載の温度調節装置であって、前記抑制部材は、断熱材からなることを要旨とする。
これによれば、熱電変換モジュールと、流路の熱媒体が、抑制部材を介して熱交換されることが抑制される。したがって、温度調節対象物の周囲の熱媒体の温度変化を更に抑制することができる。
【０００９】
請求項３に記載の発明は、請求項１又は請求項２に記載の温度調節装置であって、前記熱電変換モジュールは、前記第１流路に突出する複数のフィン材からなるフィンを有する第１熱交換器と、前記第２流路に突出する複数のフィン材からなるフィンを有する第２熱交換器とを有し、前記第１熱交換器は、前記第１面に接合され、前記第２熱交換器は、前記第２面に接合され、前記第１流路及び前記第２流路に突出する前記フィンの少なくともいずれか一方は、一対の抑制部材によって挟まれることを要旨とする。
【００１０】
これによれば、流路においてフィンが突出している領域は、熱電変換モジュールと熱媒体との熱交換が促進される領域となる。この領域を、一対の抑制部材によって、適切に領域の外部と遮断することで、熱電変換モジュールに対する熱媒体の流通を適切に遮断することができる。
【００１１】
請求項４に記載の発明は、請求項１〜請求項３のうち、いずれか１項に記載の発明であって、前記抑制部材は、前記抑制部材が配設される流路の開放状態と閉鎖状態とを切り替えることができる態様で回動可能に配設されるとともに、前記抑制部材が配設される流路を流通する熱媒体の流通方向と反対方向に付勢された状態で配設され、前記抑制部材が設けられる流路に熱媒体が供給されるときには、前記熱媒体による押圧によって前記流路が開放状態に維持される一方で、前記抑制部材が配設される流路に熱媒体が供給されないときには、前記流路が閉鎖状態に維持されることを要旨とする。
【００１２】
これによれば、抑制部材は、流路に熱媒体が供給されているときには、熱媒体に押圧されて、流路を開放状態に切り替える。一方、流路に熱媒体が供給されていないときには、付勢力によって閉鎖状態に切り替えられる。したがって、抑制部材を電気的に制御する必要がなく、消費電力が少なくなる。また、複雑な制御を行う必要がない。
【発明の効果】
【００１３】
本発明によれば、熱電変換モジュールが停止している場合における温度調節対象物の周囲の熱媒体の温度変化を抑制することができる。
【図面の簡単な説明】
【００１４】
【図１】実施形態における電池モジュールを示す断面図。
【図２】実施形態における電池モジュールの作用図。
【図３】別例における電池モジュールを示す断面図。
【発明を実施するための形態】
【００１５】
図１に示すように、電池モジュール１０は、平面視矩形状のケース２０の内部に電池１１が収容されてなる電池パック１２に温度調節装置３０を設けることで構成されている。
ケース２０の内部には、仕切壁２３が設けられている。仕切壁２３は、ケース２０の内部を温度調節対象物としての電池１１が収容される収容領域２１と、温度調節装置３０によって熱交換された熱媒体を収容領域２１に供給する第１流路５１とに区画している。
【００１６】
仕切壁２３と対向するケース２０の一側壁２２には、第１流路５１を流通する熱媒体を加熱又は冷却する温度調節装置３０が設けられている。温度調節装置３０は、放熱と吸熱の相反する作用を行う第１面３１ａ及び第２面３１ｂを有する熱電変換装置３１と、第１熱交換器３２と、第２熱交換器４０とからなる熱電変換モジュール７０を備える。熱電変換装置３１の第１面３１ａには、第１熱交換器３２が熱的に接合されている。第１熱交換器３２は、平板状の基部３３が第１面３１ａに接合されており、基部３３において第１面３１ａと接合されている面と反対側の面には、フィン１５が形成されている。フィン１５は、基部３３において第１面３１ａと接合されている面と反対側の面から立設された複数のフィン材３４からなる。そして、この基部３３が、側壁２２に形成された嵌合孔２２ａに嵌合されることで、第１流路５１には、仕切壁２３に向かって延びるフィン材３４が突出している。
【００１７】
第１流路５１には、フィン１５に気体状の熱媒体（例えば、空気や二酸化炭素）を供給する第１送風機３５が設けられている。
第１流路５１には、フィン１５を挟むように一対の第１遮断部材８１，８２が配設されている。第１遮断部材８１は、第１流路５１を流通する熱媒体の流通方向において、フィン１５より上流側に設けられている。第１遮断部材８２は、第１流路５１を流通する熱媒体の流通方向において、フィン１５よりも下流側に設けられている。
【００１８】
抑制部材としての第１遮断部材８１，８２は、板状をなしている。第１遮断部材８１，８２は、断熱材（例えば、発泡スチロール）によって形成されている。第１遮断部材８１，８２における第１流路５１を流通する熱媒体の流通方向と反対方向の面と、ケース２０の側壁２２とは、ねじりばね３７で固定されている。第１遮断部材８１，８２において、ケース２０の側壁２２側の端部が基端８１ａ，８２ａとなり、基端８１ａ，８２ａと逆側の端部が先端８１ｂ，８２ｂとなっている。第１遮断部材８１，８２の先端８１ｂ，８２ｂは、第１流路５１に熱媒体が供給されていない状態で、仕切壁２３の壁面と対向するようになっている。第１遮断部材８１，８２の先端８１ｂ，８２ｂと、仕切壁２３の間には、若干の隙間Ｓ１が形成されており、第１遮断部材８１，８２の先端８１ｂ，８２ｂと、仕切壁２３との当接が抑止されている。
【００１９】
ねじりばね３７の線材の軸方向第１端部３７ａは、ケース２０の側壁２２の内面に固定されている。また、ねじりばね３７の線材の軸方向第２端部３７ｂは、第１遮断部材８１，８２における第１流路５１を流通する熱媒体の流通方向と反対方向の面に固定されている。そして、ねじりばね３７の付勢力によって、第１遮断部材８１，８２は、第１流路５１を流通する熱媒体の流通方向と反対側に付勢されている。ねじりばね３７の付勢力は、第１送風機３５が第１流路５１に熱媒体を供給している状態で、第１遮断部材８１，８２の先端８１ｂ，８２ｂが仕切壁２３から離間しケース２０の側壁２２の内面に向けて回動するように設定されている。また、第１送風機３５が第１流路５１に熱媒体を供給していない場合には、ねじりばね３７の付勢力によって、第１遮断部材８１，８２の先端８１ｂ，８２ｂが、仕切壁２３に近づき、第１流路５１を閉鎖するようになっている。したがって、第１遮断部材８１，８２の先端８１ｂ，８２ｂは、仕切壁２３と、ケース２０の側壁２２との間で、回動可能となっている。
【００２０】
そして、第１流路５１に熱媒体が供給されていない状態では、第１遮断部材８１，８２によって第１流路５１は閉鎖状態となっている。そして、第１流路５１が閉鎖状態となっている場合には、第１遮断部材８１，８２は、第１熱交換器３２のフィン１５と熱交換した後の熱媒体が、収容領域２１へ流入するのを抑制する。第１遮断部材８１，８２によって第１流路５１が閉鎖状態となっている場合には、一対の第１遮断部材８１，８２、第１熱交換器３２の基部３３及び仕切壁２３によって、第１領域５３が区画されている。第１領域５３内には、第１熱交換器３２のフィン材３４が突出している。
【００２１】
なお、前述したように、第１遮断部材８１，８２の先端８１ｂ，８２ｂと、仕切壁２３との間には、若干の隙間Ｓ１が形成されることから、閉鎖状態とは、厳密な意味での閉鎖を示す状態ではない。具体的にいえば、第１熱交換器３２のフィン１５と熱交換した後の熱媒体が、隙間Ｓ１から収容領域２１に流入したとしても、電池１１の周囲の熱媒体の温度変化が許容できる範囲内であれば、熱媒体が収容領域２１に流入することが許容される。収容領域２１に流入することが許容される熱媒体の流量は、実験やシミュレーションなどによって定められる。したがって、第１遮断部材８１，８２は、熱電変換モジュール７０への熱媒体の流通を厳密な意味で遮断するものだけではなく、電池１１の周囲の熱媒体の温度変化を抑制できる範囲内で、熱電変換モジュール７０への熱媒体の流通を抑制可能なものであればよい。すなわち、第１遮断部材８１，８２は、熱電変換モジュール７０への熱媒体の流通を抑制する抑制部材として機能している。
【００２２】
図２に示すように、第１流路５１に熱媒体が供給されている状態では、第１遮断部材８１，８２が、熱媒体によって押圧されて、第１流路５１は開放状態となっている。
図１に示すように、熱電変換装置３１の第２面３１ｂには、第２熱交換器４０が熱的に接合されている。第２熱交換器４０は、平板状の基部４１が第２面３１ｂに接合されており、基部４１において第２面３１ｂと接合されている面と反対側の面には、フィン１６が形成されている。フィン１６は、基部４１において第２面３１ｂと接合されている面と反対側の面から立設された複数のフィン材４２からなる。第２熱交換器４０は、熱電変換装置３１の第２面３１ｂと第２熱交換器４０のフィン１６を介して熱交換を行う熱媒体が流通するダクト４３に嵌合されている。ケース２０の側壁２２と対向配置されるダクト４３の第１側壁４８には、第２熱交換器４０の基部４１が嵌合される嵌合孔４３ａが形成されている。そして、嵌合孔４３ａに第２熱交換器４０の基部４１が嵌合されることで、ダクト４３の内部に形成された第２流路５４にフィン材４２が突出している。ダクト４３の内部には、第２流路５４に気体状の熱媒体を供給する第２送風機４４が設けられている。第２流路５４には、フィン材４２が突出しているため、第２流路５４を流通する熱媒体は、第２熱交換器４０を介して第２面３１ｂと熱交換し、熱交換後の熱媒体が第２流路５４を流通する。つまり、第２流路５４は、第２面３１ｂと熱交換された熱媒体が流通する流路となる。また、ダクト４３の内部において、第２流路５４に至るまでに熱媒体が流通する流路（第２面３１ｂと熱交換される熱媒体を熱電変換モジュール７０に供給する流路）が第３流路５６となる。
【００２３】
なお、第２流路５４の内部における温度調節装置３０の構成は、ケース２０の内部に設けられるか、ダクト４３の内部に設けられるかの差異を除いて、第１流路５１の内部における温度調節装置３０の構成と同一の構成を有する。以下、詳細に説明する。
【００２４】
ダクト４３の内部には、フィン１６を挟むように一対の第２遮断部材８３，８４が配設されている。抑制部材としての第２遮断部材８３，８４は、第１遮断部材８１，８２と同一の構成を有する。本実施形態では、第２遮断部材８３は、第３流路５６に配設され、第２遮断部材８４は、第２流路５４に配設されている。
【００２５】
第２遮断部材８３，８４における第２流路５４を流通する熱媒体の流通方向と反対方向の面と、第１側壁４８と対向するダクト４３の第２側壁４７とは、ねじりばね４６で固定されている。第２遮断部材８３，８４において、ダクト４３の第２側壁４７側の端部が基端８３ａ，８４ａとなり、基端８３ａ，８４ａと逆側の端部が先端８３ｂ，８４ｂとなっている。第２遮断部材８３，８４の先端８３ｂ，８４ｂは、第２流路５４に熱媒体が供給されていない状態で、ダクト４３の第１側壁４８の内面と対向している。第２遮断部材８３，８４の先端８３ｂ，８４ｂと、ダクト４３の第１側壁４８の内面の間には、若干の隙間Ｓ２が形成されており、第２遮断部材８３，８４の先端８３ｂ，８４ｂと、ダクト４３の第１側壁４８の内面との当接が抑止されている。
【００２６】
ねじりばね４６の線材の軸方向第１端部４６ａは、ダクト４３の第２側壁４７の内面に固定されている。また、ねじりばね４６の線材の軸方向第２端部４６ｂは、第２遮断部材８３，８４における第２流路５４を流通する熱媒体の流通方向と反対方向の面に固定されている。そして、ねじりばね４６の付勢力によって、第２遮断部材８３，８４は、第２流路５４を流通する熱媒体と反対側に付勢されている。ねじりばね４６の付勢力は、第２送風機４４が熱媒体を供給している状態で、第２遮断部材８３，８４の先端８３ｂ，８４ｂが第１側壁４８から離間し、第２側壁４７に向けて回動するように設定されている。また、第２送風機４４が熱媒体を供給していない場合には、ねじりばね４６の付勢力によって、第２遮断部材８３，８４の先端８３ｂ、８４ｂが、第１側壁４８に近づき、第２流路５４及び第３流路５６を閉鎖するようになっている。したがって、第２遮断部材８３，８４の先端８３ｂ，８４ｂは、第１側壁４８と第２側壁４７との間で、回動可能となっている。
【００２７】
第２送風機４４が熱媒体を供給していない状態では、第２遮断部材８３，８４によって第２流路５４及び第３流路５６は閉鎖状態となっている。第２遮断部材８３，８４によって第２流路５４及び第３流路５６が閉鎖状態となっている場合には、一対の第２遮断部材８３，８４、第２熱交換器４０の基部４１及びダクト４３の第２側壁４７によって、第２領域５５が区画されている。第２領域５５内には、第２熱交換器４０のフィン材４２が突出している。
【００２８】
なお、第１遮断部材８１，８２の場合と同様に、第２遮断部材８３，８４による閉鎖状態とは、熱電変換モジュール７０への熱媒体の流通を厳密な意味で閉鎖するものだけではなく、電池１１の周囲の熱媒体の温度変化を抑制できる範囲内で熱電変換モジュール７０への熱媒体の流通を抑制可能なものであればよい。
【００２９】
図２に示すように、第２流路５４に熱媒体が供給されている状態では、第２遮断部材８３，８４が、熱媒体によって押圧されて、第２流路５４は開放状態となっている。
次に、本実施形態における温度調節装置３０の作用について説明する。
【００３０】
電池１１の温度が、温度調節を必要とする温度のとき（電池１１の放電に支障をきたすほど温度が低い場合や、電池１１の劣化を促進するほど温度が高い場合）には、熱電変換モジュール７０が駆動されることで、第１熱交換器３２が加熱又は冷却され、第１熱交換器３２のフィン１５と熱交換することで第１流路５１内の熱媒体が冷却又は加熱される。熱電変換モジュール７０の駆動に伴い、第１送風機３５及び第２送風機４４も駆動される。
【００３１】
そして、第１送風機３５の駆動に伴って、第１熱交換器３２のフィン１５と熱交換した後の熱媒体が、収容領域２１に流入する。収容領域２１に流入した熱媒体は、電池１１の加熱又は冷却を行う。
【００３２】
図１に示すように、電池１１の温度が目標温度に達すると、熱電変換モジュール７０、第１送風機３５及び第２送風機４４の停止に伴い、第１遮断部材８１，８２によって収容領域２１と、第１領域５３との間の熱媒体の流通が抑制される。同様に、第２領域５５と、第２領域５５の外部との間の熱媒体の流通が抑制される。
【００３３】
熱電変換モジュール７０の停止に伴い、第１熱交換器３２の温度と第２熱交換器４０の温度は、熱電変換装置３１を介して熱交換することによって徐々に均一化される。この熱交換により、熱電変換モジュール７０を停止してから所定時間経過後の第１熱交換器３２の温度は、熱電変換モジュール７０の停止直前の第１熱交換器３２の温度から大きく変化する。よって、熱電変換モジュール７０を停止してから所定時間経過後にフィン１５と熱交換した熱媒体の温度は、熱電変換モジュール７０の停止直前にフィン１５と熱交換した熱媒体の温度から大きく変化する。
【００３４】
また、第１熱交換器３２の温度と第２熱交換器４０の温度が均一化された後は、第１熱交換器３２、熱電変換装置３１及び第２熱交換器４０を介して、第１熱交換器３２のフィン１５に供給された熱媒体と第２熱交換器４０のフィン１６に供給された熱媒体とが熱交換を行う。このため、熱電変換モジュール７０を停止してから所定時間経過後にフィン１５と熱交換した熱媒体の温度は、熱電変換モジュール７０の停止直前にフィン１５と熱交換した熱媒体の温度から大きく変化する。そこで、本実施形態では、電池１１の周囲の熱媒体の温度が大きく変化しないように、第１遮断部材８１，８２によって、第１領域５３から、収容領域２１への、熱媒体の流入を抑制している。
【００３５】
なお、熱電変換モジュール７０が停止している場合に、第２遮断部材８３，８４によって、第２領域５５内への熱媒体の流入及び第２領域５５内からの熱媒体の流出を抑制している。したがって、フィン１５と熱交換した熱媒体の温度変化が、第２領域５５内への熱媒体の流入及び第２領域５５内からの熱媒体の流出が抑制されていない場合に比べて小さくなる。
【００３６】
上記実施形態によれば、以下のような効果を得ることができる。
（１）第１流路５１には、熱電変換モジュール７０が停止している場合に、フィン１５で熱交換された熱媒体が収容領域２１へ流入することを抑制する第１遮断部材８１，８２が設けられている。したがって、電池１１の周囲の熱媒体の温度変化が抑制されている。このため、熱電変換モジュール７０を駆動させる頻度が少なくなり、熱電変換モジュール７０を駆動するための消費電力が少なくなる。
【００３７】
（２）ダクト４３には、熱電変換モジュール７０が停止している場合に、第２領域５５への熱媒体の流入及び第２領域５５内からの熱媒体の流出を抑制する第２遮断部材８３，８４が設けられている。このため、第２領域５５の熱媒体の温度変化が、第２領域５５内への熱媒体の流入及び第２領域５５内からの熱媒体の流出が抑制されていない場合に比べて小さくなる。
【００３８】
（３）第１遮断部材８１，８２及び第２遮断部材８３，８４は、断熱材から形成されている。このため、第１領域５３及び第２領域５５の内部の熱媒体が、第１領域５３及び第２領域５５の外部の熱媒体と熱交換されることが抑制される。
【００３９】
（４）各遮断部材８１〜８４によって各流路５１，５４，５６の開放状態と、閉鎖状態を切り替えられるようにしている。このため、各送風機３５，４４の駆動及び停止を行うことで、各流路５１，５４，５６の開放状態と、閉鎖状態とを、機械的に切り替えることができる。したがって、第１遮断部材８１，８２及び第２遮断部材８３，８４を、電気的に制御する必要がなく、消費電力が少なくなる。また、複雑な制御を行う必要がない。
【００４０】
なお、実施形態は、以下のように変更してもよい。
○  図３に示すように、熱電変換装置３１の第１面３１ａと接合される第１熱交換器３２が嵌合されるダクト６１を設けて、ダクト６１の内部と、ケース２０の内部（収容領域２１）を連通させてもよい。遮断部材６３は、ダクト６１と、ケース２０との連通口６４に設けられ、ダクト６１が第１流路６２となる。この場合、遮断部材６３を一対設けることなく、第１熱交換器３２、熱電変換装置３１及び第２熱交換器４０を介して第２流路５４の熱媒体と熱交換された熱媒体の収容領域２１への供給を抑制することができる。また、この場合であっても、ねじりばね６５を設けて、遮断部材６３を回動可能にしてもよい。
【００４１】
○  実施形態において、第２遮断部材８３，８４を設けず、第１遮断部材８１，８２のみを設けてもよい。この場合、熱電変換モジュール７０が停止しているときに、第１熱交換器３２、熱電変換装置３１及び第２熱交換器４０を介して第２熱交換器４０のフィン１６に供給された熱媒体と熱交換を行った第１熱交換器３２のフィン１５に供給された熱媒体（第１領域５３の熱媒体）は、第１遮断部材８１，８２によって収容領域２１への流通が抑制される。したがって、収容領域２１の熱媒体の温度変化が抑制されて、電池１１の周囲の熱媒体の温度変化が抑制される。また、第１遮断部材８１及び第２遮断部材８３，８４を設けず、第１遮断部材８２のみを設けてもよい。この場合も、第１熱交換器３２のフィン１５と熱交換した後の熱媒体が収容領域２１に供給されることが抑制される。
【００４２】
○  実施形態において、第１遮断部材８１，８２を設けず、第２遮断部材８３，８４のみを設けてもよい。この場合、第１領域５３が形成されないため、熱電変換モジュール７０が停止しているときに、フィン１５と熱交換した後の熱媒体は、収容領域２１に流通する。しかしながら、熱媒体の第２領域５５内への流入及び第２領域５５内からの流出を抑制する第２遮断部材８３，８４が設けられているため、第２領域５５の熱媒体の温度変化が、熱媒体の第２領域５５内への流入及び第２領域５５内からの流出が抑制されていない場合に比べて小さくなる。したがって、熱電変換モジュール７０が停止している場合の、第２領域５５の熱媒体の温度変化が小さくなることにより、第１熱交換器３２のフィン１５に供給された熱媒体と、第２領域５５の熱媒体との第１熱交換器３２、熱電変換装置３１及び第２熱交換器４０を介した熱交換が抑制されて、電池１１の周囲の熱媒体の温度変化が抑制される。また、第１遮断部材８１，８２を設けず、第２遮断部材８３，８４のうち、いずれか一方のみを設けてもよい。すなわち、第２流路５４又は第３流路５６のいずれか一方にのみ遮断部材８３，８４を設けてもよい。この場合も、熱媒体の第２領域５５内への流入又は第２領域５５内からの流出が抑制されていない場合に比べて、第２領域５５内の熱媒体の温度変化が小さくなる。このため、第１熱交換器３２のフィン１５に供給された熱媒体と、第２流路５４の熱媒体との第１熱交換器３２、熱電変換装置３１及び第２熱交換器４０を介した熱交換が抑制されて、電池１１の周囲の熱媒体の温度変化が抑制される。
【００４３】
○  実施形態において、熱電変換装置３１の第１面３１ａに第１熱交換器３２を接合せずに、熱電変換装置３１の第１面３１ａが直接第１流路５１に露出するようにしてもよい。また、熱電変換装置３１の第２面３１ｂに第２熱交換器４０を接合せずに、熱電変換装置３１の第２面３１ｂが直接第２流路５４に露出するようにしてもよい。また、第１熱交換器３２及び第２熱交換器４０の両方を接合しなくてもよい。この場合、熱電変換装置３１が熱電変換モジュールとなる。
【００４４】
○  実施形態において、第１遮断部材８１及び第２遮断部材８３を設けず、第１遮断部材８２及び第２遮断部材８４のみを設けてもよい。
○  実施形態において、仕切壁２３を設けず、第１熱交換器３２のフィン１５と熱交換された熱媒体が、収容領域２１に直接供給されるようにしてもよい。この場合、第１熱交換器３２のフィン１５と熱交換された熱媒体が、電池１１と接するまでに流通する経路（収容領域２１の一部）が第１流路５１となる。
【００４５】
○  実施形態において、温度調節対象物として、半導体素子などの電子部品を採用してもよい。
○  実施形態において、各遮断部材８１〜８４は、樹脂や金属などから形成されていてもよい。
【００４６】
○  実施形態において、各遮断部材８１〜８４と、側壁２２，４７を蝶番で固定することで、遮断部材８１〜８４を回動可能に配設してもよい。この場合、遮断部材８１〜８４を、各流路５１，５４を流通する熱媒体の流通方向と反対方向に付勢する付勢部材を別途設ける。例えば、実施形態と同様にねじりばねであってもよい。また、遮断部材８１〜８４の先端８１ｂ〜８４ｂが鉛直方向下方を向くように遮断部材８１〜８４を配設することで、重力を利用してもよい。
【００４７】
○  実施形態において、各遮断部材８１〜８４の基端８１ａ〜８４ａに駆動部を設けて、各遮断部材８１〜８４の回動を電気的に制御してもよい。
○  実施形態において、ケース２０の側壁２２に嵌合孔２２ａを形成せず、熱電変換装置３１の第１面３１ａを直接ケース２０の側壁２２に直接接合し、側壁２２を介して第１流路５１を流通する熱媒体の温度調節を行ってもよい。この場合、一対の第１遮断部材８１，８２が第１流路５１を閉鎖状態とすると、側壁２２を介して熱電変換装置３１と熱交換を行った後の熱媒体の収容領域２１への流通が抑制される。同様に、熱電変換装置３１の第２面３１ｂをダクト４３の第２側壁４７に直接接合してもよい。
【００４８】
○  実施形態において、抑制部材として、しぼりを用いてもよい。
○  実施形態において、熱媒体として液状の熱媒体を用いてもよい。この場合、第１送風機３５及び第２送風機４４に代えて、液状の熱媒体を供給するポンプが用いられる。
【符号の説明】
【００４９】
１１…電池、１５，１６…フィン、２０…ケース、２１…収容領域、３０…温度調節装置、３１…熱電変換装置、３１ａ…第１面、３１ｂ…第２面、３２…第１熱交換器、３４，４２…フィン材、４０…第２熱交換器、５１…第１流路、５４…第２流路、５６…第３流路、７０…熱電変換モジュール、６３，８１，８２，８３，８４…遮断部材。
【図１】
2013239477.tif 000003
【図２】
2013239477.tif 000004
【図３】
2013239477.tif 000005